(57)【特許請求の範囲】
【請求項１】
管およびダクト，電気配管，電気配線を含む配管部材が記載されている配管図面から、その設備工事に必要とされる各配管（配線）部材の断面寸法や長さ寸法などを個別的に拾い出すとともに、それらを所定の項目にしたがって集計するプログラムされたパソコンによる配管設備の積算方法において、
スキャナなどの図面入力手段もしくは情報記憶媒体より入力された上記配管図面の図面データに基づいて図面データファイルを作成する第１ステップと、
拾い出し処理するため上記図面データファイルから読み出された配管図画面と各配管部材の拾いデータ入力画面とを上記パソコンのディスプレイに表示する第２ステップと、
上記ディスプレイ上で所定の指示手段にて指定された各配管部材の平面的な２点についてはあらかじめ設定された縮尺率で変換した数値を上記２点間の長さ寸法として個別的に拾い出し、立ち上がり・立ち下がり配管については所定の入力手段により入力された長さ寸法を個別的に拾い出す第３ステップと、
上記拾い出された長さ寸法を上記配管図画面内の各配管部材の近傍に付記表示するとともに、上記拾いデータ入力画面に表示する第４ステップと、
上記拾い長さ寸法が付記表示された配管図画面の拾いデータ記載図面ファイルと、拾い処理が行なわれた配管部材の２点の位置データ、立ち上がり・立ち下がりデータおよび長さ寸法データを含む拾いデータファイルとを作成する第５ステップとを備え、
上記第１ないし第５ステップが上記パソコンが備える演算処理手段により実行されるとともに、上記演算処理手段により上記拾いデータ記載図面ファイルと上記拾いデータファイルの各データが相互に連携するように管理されており、
上記演算処理手段は、上記ディスプレイ上の上記配管図画面および上記拾いデータ入力画面の内の一方の画面上で、所定の所定拾い個所（もしくは所定の拾い長さ）が指定されると、それに対応する他方の画面上の拾い長さ（もしくは拾い個所）の表示を特定表示状態に切り替え、かつ、上記配管図画面に表示されている各配管部材のうち、拾い済み部分の配管と未拾い部分の配管とを色分け表示するとともに、
上記配管図画面内の所定の配管部材について上記所定の入力手段により立ち上がりもしくは立ち下がりが指定され、かつ、長さ寸法が入力されると、その指定された配管部材に入力された長さ寸法を引出線を伴なって表示し、上記引出線を伴って表示された上記長さ寸法には、床面を基準とした高さデータがさらに付加されることを特徴とする配管設備の積算方法。
【発明の詳細な説明】
【０００１】
【発明の属する技術分野】
本発明はパソコンによる配管設備の積算方法に関し、さらに詳しく言えば、配管図面からの拾いデータの整合性を容易に確認できるようにした配管設備の積算方法に関するものである。
【０００２】
【従来の技術】
建物を建設する場合、その付帯工事として空調設備や給排水設備などの配管工事が行なわれる。その材料費の見積もりは、配管図面から配管部材の材種や仕様それに長さなどを拾い出した後、その拾いデータを集計することにより行なわれるが、本出願人は、この拾い集計作業を簡単にできるようにした配管設備の積算システムを特許第２９６７２６０号として取得している。
【０００３】
この積算システムによれば、デジタイザー上に載置されたメニューシートやキーボードから施工上必要とされる配管部材の用途、種別（材質）、断面寸法、保温仕様などの個別的情報を入力した後、スタイラスペン（電子ペン）で管やダクトを含む配管図面の２点間を指示して長さ寸法を検出することにより、施工上必要とされる配管部材が自動的に拾い出されるとともに、その拾いデータが集計される。
【０００４】
【発明が解決しようとする課題】
上記積算システムにおいては、拾い表に各配管部材の長さ寸法を指示した順番に表示することにより、配管図面における拾い経路が確認しやすいように工夫されている。
【０００５】
しかしながら、配管図面はデジタイザ上に置かれているだけで、その配管図面に２点間の長さ寸法が実際に表示されるわけではなく、また、積算者によって配管部材の拾い順序が異なる場合が多いため、整合性の確認、すなわち拾い出された長さ寸法がどの配管部材に対応しているかを確認するにはかなりの困難が伴なう。
【０００６】
この解決策として、配管図面に拾いデータを手書きで転記するにしても、これには手間がかかるばかりでなく、転記ミスが入り込むおそれがあるので好ましくない。また、一般的に配管図面には給水管、給湯管、排水管などの多くの用途の配管が併記されているため、時間をかけて転記したとしても輻輳して見づらいものとなってしまう。
【０００７】
本発明は、このような課題を解決するためになされたもので、その目的は、積算過程における拾いデータの整合性を容易に確認することができるようにした配管設備の積算方法を提供することにある。
【０００８】
【課題を解決するための手段】
上記目的を達成するため、本発明は、管およびダクト，電気配管，電気配線を含む配管部材が記載されている配管図面から、その設備工事に必要とされる各配管（配線）部材の断面寸法や長さ寸法などを個別的に拾い出すとともに、それらを所定の項目にしたがって集計するプログラムされたパソコンによる配管設備の積算方法において、スキャナなどの図面入力手段もしくは情報記憶媒体より入力された上記配管図面の図面データに基づいて図面データファイルを作成する第１ステップと、拾い出し処理するため上記図面データファイルから読み出された配管図画面と各配管部材の拾いデータ入力画面とを上記パソコンのディスプレイに表示する第２ステップと、上記ディスプレイ上で所定の指示手段にて指定された各配管部材の平面的な２点についてはあらかじめ設定された縮尺率で変換した数値を上記２点間の長さ寸法として個別的に拾い出し、立ち上がり・立ち下がり配管については所定の入力手段により入力された長さ寸法を個別的に拾い出す第３ステップと、上記拾い出された長さ寸法を上記配管図画面内の各配管部材の近傍に付記表示するとともに、上記拾いデータ入力画面に表示する第４ステップと、上記拾い長さ寸法が付記表示された配管図画面の拾いデータ記載図面ファイルと、拾い処理が行なわれた配管部材の２点の位置データ、立ち上がり・立ち下がりデータおよび長さ寸法データを含む拾いデータファイルとを作成する第５ステップとを備え、上記第１ないし第５ステップが上記パソコンが備える演算処理手段により実行されるとともに、上記演算処理手段により上記拾いデータ記載図面ファイルと上記拾いデータファイルの各データが相互に連携するように管理されており、上記演算処理手段は、上記ディスプレイ上の上記配管図画面および上記拾いデータ入力画面の内の一方の画面上で、所定の所定拾い個所（もしくは所定の拾い長さ）が指定されると、それに対応する他方の画面上の拾い長さ（もしくは拾い個所）の表示を特定表示状態に切り替え、かつ、上記配管図画面に表示されている各配管部材のうち、拾い済み部分の配管と未拾い部分の配管とを色分け表示するとともに、上記配管図画面内の所定の配管部材について上記所定の入力手段により立ち上がりもしくは立ち下がりが指定され、かつ、長さ寸法が入力されると、その指定された配管部材に入力された長さ寸法を引出線を伴なって表示し、上記引出線を伴って表示された上記長さ寸法には、床面を基準とした高さデータがさらに付加されることを特徴としている。
【０００９】
この構成によれば、一例として配管図画面内の任意の配管部材をマウスでクリックして「確認」キーを押すと、拾いデータ入力画面内の上記配管部材に対応する長さ寸法値が点滅表示に切り替わる。反対に、拾いデータ入力画面内の任意の長さ寸法値をマウスでクリックして「確認」キーを押すと、配管図画面内のその長さ寸法値に対応する配管部材がハイライト表示に切り替えられる。
【００１０】
また、本発明によれば、上記配管図画面内の所定の配管部材について立ち上がりもしくは立ち下がりを指定し、入力手段により長さ寸法を入力すると、その指定された配管部材には入力された長さ寸法が引出線を伴なって表示されるが、引出線を伴って表示された長さ寸法には、床面を基準とした高さデータがさらに付加される。
【００１５】
【発明の実施の形態】
次に、図面を参照して、本発明の実施形態について説明する。図１に示されているように、この配管設備の積算方法には、ディスプレイ１１を有するパソコン本体ユニット１０と、パソコン本体ユニット１０に配管図面を読み込むためのスキャナ（図面入力手段）２０と、記憶ユニット３０と、出力手段としてのプリンタ４１およびプロッタ４２が用いられる。この場合、プリンタ４１は主として帳票出力用で、プロッタ４２は図面出力用であるが、１台で両方の出力を兼用することもできる。
【００１６】
パソコン本体ユニット１０は、ＣＰＵ（中央演算処理ユニット）やマイクロプロセッサと呼ばれているものであってもよく、要するにパーソナルコンピュータと同等の機能を有していればすべて適用可能である。
【００１７】
配管図面がＣＡＤ（Ｃｏｍｐｕｔｅｒ  Ａｉｄｅｄ  Ｄｅｓｉｇｎ）で作成され、ＣＤ（コンパクトディスク）などの情報記憶媒体２１に書き込まれている場合には、その図面データをＣＤドライブから直接的にパソコン本体ユニット１０に読み込むこともできる。
【００１８】
記憶ユニット３０には、拾いデータなどが記憶されるデータファイル３１と、配管部材の材質，ダクト寸法，保温仕様項目などの個別情報を含むメニューシートやシンボルメニューシートが格納されているマスターファイル３２と、この積算方法を実行するための実行プログラムが格納されているプログラムファイル３３とが設けられている。なお、プログラムファイル３３には次に説明する図面データファイル作成プログラム，拾い処理プログラム，立体系統図作成プログラム，拾いデータの整合性確認プログラムおよび集計処理プログラムが格納されている。
【００１９】
次に、図２の作業フローシートに沿って操作手順の一例を説明する。
（１）図面データファイルの作成
管およびダクトを含む配管図面をスキャナ２０でパソコン本体ユニット１０に読み込み、図面データファイルを作成する。なお、ＣＡＤで作成された配管図面データをＣＤなどの情報記憶媒体２１で入手した場合には、その配管図面データをパソコン本体ユニット１０に直接読み込んで図面データファイルを作成する。
【００２０】
そして、図面データファイルに図面名、日付などの図面管理上必要な各種データを入力した後、図面データファイルをデータファイル３１内のあらかじめ割り当てられている一部の領域に格納する。
【００２１】
（２）拾い処理
拾い処理を行なう図面データファイルを選択し、ディスプレイ１１に表示させる。また、配管設備工事に必要とされる各配管部材の工事項目、用途、材種名、サイズ（ダクトの場合、断面寸法）、仕様（保温仕様）、拾い長さなどを入力する拾いデータ入力画面をディスプレイ１１に併せて表示させる。
【００２２】
図３に実際の表示画面例を示す。この表示画面例においては、配管図画面Ａが上部に表示され、拾いデータ入力画面Ｂが配管図画面Ａで拾い作業を行なうのに支障がないように配管図画面Ａの下方に表示されている。また、説明の便宜上、図４に配管図画面Ａの模式図を示す。なお、図４は配管図画面Ａの出力図でもある。
【００２３】
ディスプレイ１１に表示された配管図画面Ａの縮尺率を、パソコン本体ユニット１０のキーボードにより入力する。この例では縮尺率として１／５０と設定されている（拾いデータ入力画面Ｂの縮尺欄参照）。なお、マスターファイル３２より、図５に示されているようなメニューシートＭを例えばディスプレイ１１のサブウィンドウに表示させて、そのメニューシートＭから縮尺率を設定することもできる。
【００２４】
拾い出しを行なう各配管部材の工事項目，用途，材種名，サイズ，仕様，施工区分などの施工上必要な情報を例えば上記メニューシートＭなどから選択して、拾いデータ入力画面Ｂの各入力欄にそれぞれ入力する。一例として、工事項目欄に給水設備工事，用途欄に給水，材種名欄にＶＬＰ−ＶＢ（塩ビライニング鋼管−水道用），サイズ欄に５０，仕様欄にＰＳ（パイプシャフトの略），施工区分に機械室などと入力する。
【００２５】
配管図画面Ａにおいて長さ拾いを行なうスタート位置をマウスでクリックして指示した後、そのスタート位置の床面（ＦＬ）からの高さ位置情報を入力する。この高さ位置は、配管図画面Ａの上方に設けられているＦＬ入力欄に表示される（図３の表示例では、ＦＬ入力欄は−０．５となっている）。
【００２６】
また、計測した長さ拾い済みの部分を着色表示するための色を選択する。この色選択は、配管図画面Ａの上方に設けられているＲ，Ｇ，Ｂ欄の横にある色選択ボタンをマウスでクリックすることにより行なう。
【００２７】
図４を参照して、例えば給水管の（イ）の位置をクリックした後、その（イ）の位置が床面から１．０ｍの高さである場合にはＦＬ入力欄をクリックしてキーボードより１．０と入力し、表示色を青色とする場合には、上記色選択ボタンをクリックすると色見本が表示されるので、その中から「青」を指定する。
【００２８】
スタート位置から長さ寸法を計測したい次の点をクリックすると、あらかじめ設定された縮尺率に基づいて２点間の長さ寸法を計算し、その長さ寸法を配管図画面Ａに表示するとともに、その２点間を計測済みとして設定した色で着色表示する。また、拾いデータ入力画面Ｂの拾いデータ欄にも、その長さ寸法を表示する。
【００２９】
例えば、スタート位置である（イ）に続いて（ロ）の位置をクリックすると、（イ）と（ロ）との間の長さａが計算・表示され、その２点間を青色で着色するとともに、拾いデータ入力画面Ｂにも長さａが入力される。図３，図４の配管画面Ａにおいて、長さａは０．４として表示されている。
【００３０】
立ち上がり・立ち下がり配管について。通常、配管図面は平面的に書かれているため、配管が垂直に立ち上がる場合もしくは垂直に立ち下がる場合には、配管図画面Ａからでは２点を指定できないため、その配管長さを計測することができない。
【００３１】
このような場合には、配管図画面Ａの上部にある「ＵＰ」「ＤＯＷＮ」ボタンもしくは操作メニューの「立上げ」「立下げ」をクリックするなどして指示した後、キーボードなどにより、その長さ寸法を入力する。なお、この実施形態において、画面内にある「ＵＰ」「ＤＯＷＮ」ボタンは交互表示である。
【００３２】
図４を参照して、上記のように、「ＵＰ（立上げ）」もしくは「ＤＯＷＮ（立下げ）」が指示された後に配管長さが入力されると、その指示位置を通る斜めの引出線Ｌａが表示される。そして、その引出線Ｌａの任意の位置をマウスでクリックすると、その一部分が立上げ・立下げを示す例えば太線の記号線Ｌｂとなり、その記号線Ｌｂの近くに配管長さが表示される。
【００３３】
また、拾いデータ入力画面Ｂにも、立上げ・立下げの長さ寸法が入力されるが、平面的な長さと識別できるようにするため、立上げ・立下げの長さ寸法には特定のマーク、この実施形態では、アンダラインが付けられる。
【００３４】
例えば、（ロ）の位置で「ＤＯＷＮ」ボタンをクリックして、立ち下げ長さｂのデータをキーボードまたはメニューシートにより入力すると、（ロ）の位置を通って斜めの引出線Ｌａが表示され、その引出線Ｌａの任意の部分をクリックすると、引出線Ｌａの一部分が太線の記号線Ｌｂとなり、その記号線Ｌｂの近くに配管長さｂが表示される。図４の例の場合、配管長さｂは１．０である。また、拾いデータ入力画面Ｂにおいては、その配管長さｂにアンダラインが付けられる。
【００３５】
なお、この立ち上がり・立ち下がり配管について、例えば男子トイレに複数の小便器を設置する場合、それらの各配管は同一高さレベルから同じ長さをもって立ち上げもしくは立ち下げられることが多い。
【００３６】
このような場合、その各配管ごとにＦＬ入力欄をクリックして高さ寸法を入力する手間を省くため、この積算方法ではＦＬ入力欄とは別にＦＬ固定欄を設け、これをクリックすることにより、いちいちＦＬ値を入力することなく、同一高さレベルから同じ長さをもって立ち上げもしくは立ち下げられる配管の長さが拾えるようにしている。
【００３７】
拾い作業は、配管経路に沿って各配管部材ごとに行なわれる。工事項目，用途，材種名，サイズ，仕様，施工区分などの一部もしくは全部が異なる配管部材の拾いに移る場合には、キーボードにある例えば「ＥＮＴＥＲ」キーを押すなどして、拾いデータ入力画面Ｂの入力行を改行し、異なる項目欄を変更した後、同様にして拾い出しを行なう。
【００３８】
図４の立体系統図が示されている図６を参照して、例えば（ロ）の位置において、その下端位置（ハ）から、さらにｃメートル（この場合、０．５メートル）下の（ニ）の位置まで立ち下がり、その立ち下がり部分の仕様がＰＳでなくピット（床下配管スペース内の配管）に変更となる場合には、「ＥＮＴＥＲ」キーを押して拾いデータ入力画面Ｂの入力行を改行する。
【００３９】
そして、その仕様欄をピットの略である「ピ」に変更し、立ち下がり長さｃをキーボードもしくはメニューシートにより入力すると、図４に示されているように、記号線Ｌｂの近くにその立ち下がり長さｃが上記配管長さｂとともに併記され、また、拾いデータ入力画面Ｂには立ち下がり長さｃがアンダライン付きで入力される。
【００４０】
引き続いて、（ホ）の位置をクリックすると、（ロ）と（ホ）の間の平面的な長さが計算され、その長さｄ（この例では０．９）が配管図画面Ａに表示されるとともに、その（ロ）と（ホ）の間が青色に着色表示される。また、拾いデータ入力画面Ｂにも長さｄが入力される。なお、（ロ）と（ニ）の各位置は平面的に重なっている。
【００４１】
（イ）から（ホ）までのサイズが「５０」であるのに対して、次に計測する（ホ）から（チ）までの配管のサイズは「４０」であるから、「ＥＮＴＥＲ」キーを押して拾いデータ入力画面Ｂの入力行を改行した後、サイズを４０に変更する。
【００４２】
そして、（ヘ）（ト）（チ）の各位置を順次クリックすると、（ホ）と（ヘ）、（ヘ）と（ト）および（ト）と（チ）の各間の平面的な長さが計算され、その各長さｅ（０．２），ｆ（５．０），ｇ（１．５）が配管図画面Ａに表示されるとともに、（ホ）から（チ）までの配管が青色表示となる。また、拾いデータ入力画面Ｂにも、長さｅ，ｆ，ｇが入力される。
【００４３】
このようにして、施工上必要な配管部材のすべての部分について一連の拾い作業を終えると、これらの拾いデータが、拾いデータファイルおよび拾いデータ記載図面ファイルに分けてデータファイル３１内の所定の領域に保存される。
【００４４】
拾いデータファイルには、拾い処理が行なわれた配管部材の２点の位置データ、立ち上がり・立ち下がりデータおよび長さ寸法データなどが含まれる。また、拾いデータ記載図面ファイルには、拾い長さ寸法（上記の例では、ａ〜ｇ）が付記表示された配管図画面Ａの画面データなどが含まれる。
【００４５】
拾いデータ記載図面ファイルは、当初に例えばスキャナ２０にて読み込まれた図面データファイルとは別に、図面名，工事項目，用途などに区分して保存される。したがって、その後に配管図面が変更された場合には、変更された図面ファイルと変更前の拾いデータ記載図面ファイルを重ねることにより、変更箇所が容易に分かり、変更部分についてのみ、上記と同様の手順で拾い直せばよいことになる。
【００４６】
すなわち、重ね合わせた拾いデータ記載図面上の変更部分について拾い直しを行なうことにより、変更前の拾い数量が削除され、変更後の拾い数量が新たに表示されることになる。
【００４７】
（３）立体系統図（アイソメ図：アイソメトリック図の略称）の作成。
この積算システムによると、拾い処理終了後にアイソメ図の作成を指示すると、拾いデータファイルから、各配管部材の２点の位置データ、立ち上がり・立ち下がりデータおよび長さ寸法データに基づいて初期のアイソメ図がディスプレイ１１に表示される。なお、アイソメ図の作成プログラムは公知の手法による。
【００４８】
図７に、ディスプレイ１１にサブウィンドウとして開かれた初期のアイソメ図の一部分を示すが、この初期のアイソメ図には、配管施工上必要とされる弁や衛生器具などの装置類が表示されていないため、マスターファイル３２から図８に示されているようなアイソメ用シンボルメニューを読み出して、その中の所定のシンボルをクリックしてアイソメ図に貼り付けることができる。
【００４９】
また、初期のアイソメ図には長さ寸法が表示されるが、輻輳するなどして見づらい場合には、その数値をドラッグして別の位置に移すこともできる。配管サイズを記入することもでき、その最終的な編集済みアイソメ図の一例が図６に示されているものである。
【００５０】
アイソメ図の配管部分は、拾い処理で入力された例えば保温仕様別に、あらかじめ設定された表示線（実線、破線またはその組み合わせなど）で表示されるが、図面別に任意の範囲を指定して表示線の種類を変更することができる。また、配管経路全体を任意の色で着色したり、例えば保温仕様別に着色を異ならせることにより、整合性がより確認しやすくなる。
【００５１】
例えば、（イ）と（ハ）の間は保温仕様のＰＳに対応して２本線とし、（ハ）と（チ）の間は保温仕様のピットに対応して実線で表示するか、または、保温仕様に応じて着色を変えるようにしてもよい。また、図７のアイソメ図のように、必要とする配管系統のみを抜き出して部分表示することもできる。
【００５２】
編集されたアイソメ図データは、初期のアイソメ図とは別の管理名称，番号などを付けて編集アイソメ図データファイルに保存される。したがって、その後の配管図面の変更に伴ない拾いデータが変更されても、編集アイソメ図が勝手に変更されることはない。
【００５３】
なお、その後に配管図面の変更に伴ない拾いデータが変更された場合には、変更後の拾いデータに基づいて作成した初期のアイソメ図をディスプレイ１１に表示して編集するか、もしくは配管図変更前に編集した編集アイソメ図と、変更後の初期のアイソメ図を重ね合わせることにより変更箇所を修正するか、いずれか作業性のよい方を選択すればよい。
【００５４】
（４）拾いデータの整合性確認
この積算方法において、拾いデータファイルと拾いデータ記載図面ファイルの各データは、拾い処理中および拾い処理後のいずれにおいても、相互に連携するように管理されており、拾いデータの整合性を容易に確認できる。
【００５５】
すなわち、ディスプレイ１１に、配管図画面Ａと拾いデータ入力画面Ｂとを図３のように表示させた状態において、例えば、配管図画面Ａ内の任意の配管部材をマウスでクリックして「確認」キーを押すと、拾いデータ入力画面Ｂ内の上記配管部材に対応する長さ寸法値が点滅表示に切り替わる。反対に、拾いデータ入力画面Ｂ内の任意の長さ寸法値をマウスでクリックして「確認」キーを押すと、配管図画面Ａ内のその長さ寸法値に対応する配管部材がハイライト表示に切り替えられる。
【００５６】
また、拾いデータの整合性の確認は、ディスプレイ１１の画面内だけでなく、印刷された拾い表、拾いデータ記載図面および編集アイソメ図においても容易に確認することができる。例えば、図９に示されている拾い頁を例にして説明すると、（イ）〜（チ）に示す拾いデータａ〜ｇは、図４の画面を印刷した拾いデータ記載図面および図６の編集アイソメ図の各データと一致しており、これにより拾いデータの整合性の確認がとれる。
【００５７】
（５）集計処理
拾い作業終了後に、画面上部に表示されている操作メニューから集計処理を選択すると、拾いデータに基づいて、工事項目別、材質別などに区分した図１０に示されているような集計表１の作成が行なわれる。この集計表１は管・円形ダクトのものであるが、矩形ダクトの場合には、図１１に示されているような材質別、板厚別の集計表２および図１２に示されているような保温仕様別の集計表３が作成される。
【００５８】
この積算方法では、拾いデータの整合性の確認を容易にするため、集計したデータの出所を明らかにするため、拾い頁の頁数がデータに付記される。例えば、図１０の管・円形ダクトの集計表１においては、管寸法別、保温仕様別に各拾い頁からの長さが転記され、その後ろに括弧書きで出所頁が付記されている。
【００５９】
また、矩形ダクトの場合には、図１１の集計表２には板厚別に各拾い頁から面積値が転記されるが、その各面積値の後ろに括弧書きで拾い頁の頁数を表示して集計が行なわれる。例えば、図１１の集計表２において、板厚０．５ｍｍの行を見ると、○○○○（４）と記載されており、これは拾い頁４からのものであることを意味している。
【００６０】
図１２の集計表３では、用途別に並び替えられ、さらに保温仕様別に面積が集計されているが、この場合も同様に、各面積値の後ろに括弧を付けて、その拾い頁の出所が表示されている。例えば、空調ＳＡでロ（屋内露出）の行を見ると、○○○○（５）と記載されており、これは拾い頁５からのものであることを意味している。
【００６１】
上記実施形態では、管やダクトの長さを拾っているが、本発明はこれに限定されない。本発明によれば、電気配管図面や電気配線図面などについても、上記と同様に拾い処理、集計処理することができる。
【００６２】
【発明の効果】
以上説明したように、本発明によれば、スキャナなどの図面入力手段により配管図面の図面データをパソコンに入力して図面データファイルを作成した後、パソコンのディスプレイ上で各配管部材の２点もしくは立ち上がり・立ち下がりを指定して、その長さ寸法の個別的な拾い出しを行なって、拾いデータ記載図面ファイルと拾いデータファイルとを作成し、ディスプレイに表示されている配管図画面および拾いデータ入力画面の内の一方の画面上で、所定の所定拾い個所（もしくは所定の拾い長さ）を指定すると、それに対応する他方の画面上の拾い長さ（もしくは拾い個所）の表示が特定表示状態に切り替えられるようにしたことにより、積算過程における拾いデータの整合性を容易に確認することができる。
【００６３】
また、上記拾いデータファイルに含まれている配管部材の２点の位置データ、立ち上がり・立ち下がりデータおよび長さ寸法データに基づいて、拾い処理された配管部材の立体系統図（アイソメ図）が作成・表示されるため、視覚的にも積算過程における拾いデータの整合性を容易に確認することができる。
【図面の簡単な説明】
【図１】  本発明の積算方法に適用される構成要素を示した概略図。
【図２】  上記積算方法の作業フローシート。
【図３】  上記積算方法においてディスプレイに表示される配管図画面と拾いデータ入力画面を含む表示画面図。
【図４】  上記ディスプレイ画面から抽出した配管図画面の模式図。
【図５】  上記積算方法の入力に用いられるメニューシートを示した説明図。
【図６】  上記積算方法により得られる編集アイソメ図の一例を示した説明図。
【図７】  上記積算方法により得られる初期のアイソメ図の一例を示した説明図。
【図８】  上記編集アイソメ図の作成に用いられるシンボルメニューシートを示した説明図。
【図９】  上記積算方法により作成された拾い頁の内容を示した説明図。
【図１０】  上記積算方法により作成された集計表１の内容を示した説明図。
【図１１】  上記積算方法により作成された集計表２の内容を示した説明図。
【図１２】  上記積算方法により作成された集計表３の内容を示した説明図。
【符号の説明】
１０  パソコン本体ユニット
１１  ディスプレイ
２０  スキャナ
２１  情報記憶媒体（ＣＤ）
３０  記憶ユニット
３１  データファイル
３２  マスターファイル
３３  プログラムファイル
４１，４２  出力手段
【図１】
0004426714.tif 000002
【図２】
0004426714.tif 000003
【図３】
0004426714.tif 000004
【図４】
0004426714.tif 000005
【図５】
0004426714.tif 000006
【図６】
0004426714.tif 000007
【図７】
0004426714.tif 000008
【図８】
0004426714.tif 000009
【図９】
0004426714.tif 000010
【図１０】
0004426714.tif 000011
【図１１】
0004426714.tif 000012
【図１２】
0004426714.tif 000013